(57)【要約】【課題】  運搬時の振動によって梱包緩衝材上から被梱包物が脱落することなく、被梱包物の底面の強度が低い場合であっても被梱包物の底面が変形しないようにすることにある。【解決手段】  梱包容器１０の被梱包物３０の箱部底側４１に配置される梱包緩衝材２０であって、それぞれが被梱包物３０の底面の対向する角部に当接する傾斜面２７を有する少なくとも一対の傾斜部と、各傾斜面２７が所定の角度を保つように１対の傾斜部の姿勢を保持する高さ保持部２５とを備えている。【選択図】      図５
2007210636.tif 000002
【特許請求の範囲】
【請求項１】
梱包容器の被梱包物の底側に配置される梱包緩衝材であって、
それぞれが前記被梱包物の底面の対向する角部に当接する傾斜面を有する少なくとも一対の傾斜部と、
前記各傾斜面が所定の角度を保つように前記１対の傾斜部の姿勢を保持する姿勢保持部と、
を備えた梱包緩衝材。
【請求項２】
前記１対の傾斜部は、それぞれ前記被梱包物の底面の角部に当接するように配置され、弾性変形可能な１対の支持部材であり、
前記姿勢保持部は、前記１対の支持部材の内側への移動を規制する規制部と、前記１対の支持部材の外側部分を下方から支持する高さ保持部と、を備えた底面側緩衝部材である、
請求項１に記載の梱包緩衝材。
【請求項３】
前記底面側緩衝部材の前記高さ保持部は前記支持部材を支持する高さ位置を変更可能である、請求項２に記載の梱包緩衝材。
【請求項４】
前記高さ保持部は前記底面側緩衝部材の対向する端部を屈曲させて形成されている、請求項２または３に記載の梱包緩衝材。
【請求項５】
前記規制部は前記底面側緩衝材の一部を屈曲させて形成されている、請求項２から４までのいずれかに記載の梱包緩衝材。
【請求項６】
前記１対の支持部材はそれぞれ前記規制部に隣接して配置され、前記規制部と前記高さ保持部とによって傾けて配置されている、請求項２から５までのいずれかに記載の梱包緩衝材。
【請求項７】
前記傾斜部の傾斜面は一つのシート状の部材で形成されている、請求項１から６までのいずれかに記載の梱包緩衝材。
【発明の詳細な説明】
【技術分野】
【０００１】
本発明は、梱包緩衝材、特に、梱包容器の被梱包物の底側に配置される梱包緩衝材に関する。
【背景技術】
【０００２】
従来から、図１に示すように、機械等の被梱包物５を運搬する際には、運搬の際の衝撃を緩和するために梱包緩衝材２を備えた梱包容器１が用いられている。ここで、梱包緩衝材２は、被梱包物５の底面の両端部を支持しており、被梱包物５の側方を支持する部分４と被梱包物５の底面を支持する部分３とを有している（特許文献１参照）。
【特許文献１】特開２００１−１２２３３９号公報
【発明の開示】
【発明が解決しようとする課題】
【０００３】
特許文献１に記載の発明では、底面を支持する部分３は底面に接触するように内側に延びているために、図２に示すように、被梱包物５の底面の強度が低い場合には底面を支持する部分３によって底面の形状を変形させられる場合がある。ここで、図２は底面と底面を支持する部分３とが接触するために底面の形状が変形している状態を示す。そこで、底面を支持する部分３が底面に接触しないように短くすることが考えられる（図３参照）。しかし、この場合には運搬時の振動によって被梱包物５が底面を支持する部分３から脱落することが考えられる（図４参照）。なお、図３は図２を改良するために底面を支持する部分を短くした際の図であり、図４は図３の状態で運搬時の振動によって被梱包物５が梱包緩衝材から脱落した状態を示す図である。
【０００４】
本発明の課題は、運搬時の振動や衝撃によって梱包緩衝材上から被梱包物が脱落することなく、被梱包物の底面の強度が低い場合であっても被梱包物の底面が変形しないようにすることにある。
【課題を解決するための手段】
【０００５】
請求項１に係る梱包緩衝材は、梱包容器の被梱包物の底側に配置される梱包緩衝材であって、それぞれが被梱包物の底面の対向する角部に当接する傾斜面を有する少なくとも一対の傾斜部と、各傾斜面が所定の角度を保つように１対の傾斜部の姿勢を保持する姿勢保持部とを備えている。
【０００６】
この梱包緩衝材では、１対の傾斜部の各傾斜面に被梱包材の底面の対向する角部を載置して、被梱包物を支持する。
【０００７】
ここでは、１対の傾斜部で被梱包物の底面の対向する角部を支持しているために、１対の傾斜部は被梱包物の底面には接触しない。このために、被梱包物の底面の強度が低い場合であっても、底面を変形させることが無くなる。
【０００８】
請求項２に係る梱包緩衝材は、請求項１に記載の梱包緩衝材であって、１対の傾斜部は、被梱包物の底面の角部に当接するように配置され、弾性変形可能な支持部材である。また、姿勢保持部は、１対の支持部材の内側への移動を規制する規制部と、１対の支持部材の外側部分を下方から支持する高さ保持部と、を備えた底面側緩衝部材である。
【０００９】
この梱包緩衝材では、被梱包物が１対の支持部材の上に載置される。１対の支持部材はそれぞれ規制部によって内側への移動が規制され、高さ保持部によって外側部分を下方から支持されるため所定の傾斜を有するように配置される。
【００１０】
ここでは、所定の傾斜で配置されている１対の支持部材に被梱包物が載置されるために、支持部材が被梱包物の底面とは接触せず、従って被梱包物の底面が変形するのを防止できる。また、支持部材は、被梱包物が載置されることで弾性変形が可能であり、この弾性変形によって、小面積ではあるが支持部材に被梱包物と当接する面が形成されることになり、このために被梱包物が脱落しにくくなる。
【００１１】
請求項３に係る梱包緩衝材は、請求項２に記載の梱包緩衝材であって、底面側緩衝部材の高さ保持部は支持部材を支持する高さ位置を変更可能である。
【００１２】
ここでは、支持部材の支持する高さ位置を変えることで支持部材の傾斜の角度を変更できるために様々な被梱包物に対応することができる。
【００１３】
請求項４に係る梱包緩衝材は、請求項２または３に記載の梱包緩衝材であって、高さ保持部は底面側緩衝部材の両端部を屈曲させて形成されている。
【００１４】
ここでは、一つの部材で高さ保持部を形成することができるために製造コストを減らすことができる。
【００１５】
請求項５に係る梱包緩衝材は、請求項２から４までのいずれかに記載の梱包緩衝材であって、規制部は底面側緩衝材の一部を屈曲させて形成されている。
【００１６】
ここでは、一つの部材で規制部を形成できるために製造コストを減らすことができる。
【００１７】
請求項６に係る梱包緩衝材は、請求項２から５までのいずれかに記載の梱包緩衝材であって、１対の支持部材はそれぞれ規制部に隣接して配置され、規制部と高さ保持部とによって傾けて配置されている。
【００１８】
この梱包緩衝材では、規制部によって１対の支持部材の内側端部が内側へ移動するのが規制され、高さ保持部によって支持部材の外側部分が所定高さに保持されるために、支持部材が所定の傾きで配置される。
【００１９】
請求項７に係る梱包緩衝材は、請求項１から６までのいずれかに記載の梱包緩衝材であって、傾斜部の傾斜面は一つのシート状の部材で形成されている。
【００２０】
ここでは、被梱包物が当接する傾斜面が一つのシート状の部材によって形成されているために、傾斜部の鉛直方向の強度が高くなる。
【発明の効果】
【００２１】
本発明は、運搬時の振動や衝撃によって被梱包物が梱包緩衝材上から脱落することなく、被梱包物の底面の強度が低い場合であっても被梱包物の底面が変形しないようにすることができる。
【発明を実施するための最良の形態】
【００２２】
１．構成
本発明の一実施形態に係る梱包緩衝材２０を備えた梱包容器１０を図５に示す。なお、この図５は各構成要素の配置を示すための模式図であり詳細は省略している。
【００２３】
この梱包容器１０は、機械などの被梱包物３０を梱包するためのものであって、底面の強度が低い被梱包物３０を運搬する際に特に有効なものである。この梱包容器１０は、箱状部材４０と、蓋状部材５０と、梱包緩衝材２０とを備えている。なお、以下では被梱包物３０を直方体状の物として以下に説明する。
【００２４】
箱状部材４０は、内部に梱包緩衝材２０等を収納する部材であって、長方形状の箱部底面４１と、箱部底面４１の端部から上方に延びる４つの箱部壁面４２とによって構成されている。箱部底面４１は被梱包物３０よりも面積が大きな板状の部分である。箱部壁面４２は被梱包物３０の箱部底面４１から所定の高さだけ上方に延びている。
【００２５】
蓋状部材５０は、被梱包物３０を覆うように配置された部材であって、蓋部上面５１と、４つの蓋部側壁５２とを有している。蓋部上面５１は箱部底面４１の長手方向長さ及び長手方向に直交する方向長さよりも長い長方形状の部分である。蓋部側壁５２は、蓋部上面５１の端部から下方に延びる部分であって、それぞれ箱部壁面４２の外面に接するように配置されている。
【００２６】
梱包緩衝材２０は、被梱包物３０に加わる運搬時の振動を緩和するための部材であって、図５及び図６に示すように、４つの上側保持部材２１と、４つの支持部材（傾斜部）２２と、１つの底面側緩衝部材２３とを有する。
【００２７】
４つの上側保持部材２１はそれぞれ、被梱包物３０の上面を保持するための部材であって、蓋状部材５０の蓋部上面５１の内面に接触するように配置されている。そして、この上側保持部材２１は、被梱包物３０の両側部及び上側の面を支持するために被梱包物３０の側部及び上面に接触するように延びている。
【００２８】
４つ（２対）の支持部材２２は、図７及び図９に示すように、被梱包物３０の下側端部を支持するための部材であって、被梱包物３０の底面の４つ角部を支持するように配置されている。ここで、図９は梱包容器１０を上方から見た図である（被梱包部材３０や蓋部上面５１は省略されている）。支持部材２２は、直方体状の部材であって、シート状のダンボールを幾層にも積み重ねて形成している。支持部材２２は、弾性変形が可能であって、被梱包物３０の底面と接触する傾斜面２７（傾斜部）を有し、この傾斜面２７は１つのシート状に形成されている。また、支持部材２２の上面である傾斜面２７（傾斜部）は、支持部材２２が後述する規制部２４と後述する高さ保持部２５とによって傾けて配置されているために、所定の角度に傾いている。ここで、図７は支持部材２２と後述する規制部２４と後述する高さ保持部２５との位置関係を示している。
【００２９】
底面側緩衝部材２３は、箱状部材４０の箱部底面４１全領域に配置された部材であって、ダンボールによって形成されている。また、底面側緩衝部材２３は、箱部底面４１よりも長手方向に長い長方形状の部材であって、規制部２４と、高さ保持部（姿勢保持部）２５とを有している。規制部２４は、それぞれの支持部材２２の内側への移動を規制するための部分であって、支持部材２２の内側の面が当接する部分である。また、規制部２４は、底面側緩衝部材２３の被梱包物３０の底面の４つ角に対応した部分をコの字状に切り、そのコの字状の部分を立てるように屈曲させて構成している（図８参照）。ここで、図８は、底面側緩衝部材２３の平面図であって、高さ保持部２５や規制部２４を形成する前の展開図である。高さ保持部２５は、箱状部材４０の対向する箱部壁面４２に隣接するように配置された部分であって、規制部２４と対向して配置されている。また、高さ保持部２５は、支持部材２２の外側部分を下方から支持する部分であって、底面側緩衝部材２３の対向する長手方向の両端部２６（図８参照）を長手方向中央部に向かって屈曲させて形成されている。このために、屈曲させる回数や折り曲げ方などによって高さを調整することができる。なお、規制部２４及び高さ保持部２５によって支持部材２２を所定の角度に傾けて配置している。
【００３０】
２．動作・効果
梱包緩衝材２０を作成する場合は、まず、底面側緩衝部材２３に形成されているコの字状の切り目を鉛直方向上側に屈曲させて規制部２４を形成する。次に底面側緩衝部材２３の両端部２６を内側に屈曲させて所定の高さになるように調整する。そして、規制部２４と高さ保持部２５とで支持部材２２を所定の角度に傾くように配置する。このようにして底面側緩衝部材２３を作成した後、箱状部材４０の箱部底面４１に梱包緩衝材２０を配置し、支持部材２２の上に被梱包物３０の底面の４つの角部が載置されるように被梱包物３０を配置する。その後、上側保持部材２１を被梱包物３０の上側両端に配置し、蓋錠部材５０を被梱包物３０及び箱状部材４０を覆うように被せる。そして、梱包後の被梱包物３０を運搬する。
【００３１】
ここでは、支持部材２２が被梱包物３０の底面に対して所定の角度で傾いており、被梱包物３０の底面の角が支持部材２２によって支持されている。このとき、支持部材２２は被梱包物３０に底面に接触しないために、被梱包物３０の底面の強度が低い場合でも被梱包物３０の底面が変形するのを防止できる。また、図６に示すように、運搬時の振動や衝撃によって被梱包物３０が少々傾いても支持部材２２が弾性変形可能であり、傾いている方向に一定の長さを有しているために被梱包物３０が支持部材２２上から脱落するのを防止できる。ここで、図６は図５の状態で運搬時の振動や衝撃が加えられた場合の状態を示す。
【００３２】
３．他の実施形態
上記実施形態では、傾斜部と姿勢保持部とを２つの部材（支持部材２２と底面側緩衝材２３）によって実現したが、本発明はこれに限られずに１つ又は３つ以上の部材で実現しても良い。例えば、図１０に示すように複数のダンボールシートを積み重ねて三角柱状に形成した三角柱状部材６０であって、三角柱の斜面６１（傾斜部）で被梱包物３０の底面を支持するようにしても良い。この場合被梱包物３０の底面端部と接触する面を構成するダンボールシートの下側のシート（姿勢保持部）が三角柱の斜面６１（傾斜部）が一定の角度に傾斜するように姿勢保持する。上記実施形態では、被梱包物３０の形状が直方体であったが、本発明はこれに限られず別の形状であっても良い。
【図面の簡単な説明】
【００３３】
【図１】従来の梱包緩衝材２を備えた梱包容器１の断面図。
【図２】底面の強度の低い被梱包物５を梱包した際の図。
【図３】図１の梱包緩衝材２を改良した場合の図。
【図４】図３の状態で運搬時の振動を加えた場合の図。
【図５】本発明に係る梱包緩衝剤２０を備えた梱包容器１０の断面図。
【図６】図５の状態で運搬時の振動を加えた場合の図。
【図７】支持部材２２と規制部２４と高さ位置保持部２５との位置関係を示した図。
【図８】底面緩衝材２３の平面図。
【図９】梱包容器１０を鉛直方向上側から見た図。
【図１０】他の実施形態に係る梱包緩衝材を示す図。
【符号の説明】
【００３４】
１０  梱包容器
２０  梱包緩衝材
２２  支持部材（傾斜部）
２３  底面緩衝部材
２４  規制部
２５  高さ保持部（姿勢保持部）
３０  被梱包物
４０  箱状部材
５０  蓋状部材
６０  三角柱状の部材
【図１】
2007210636.tif 000003
【図２】
2007210636.tif 000004
【図３】
2007210636.tif 000005
【図４】
2007210636.tif 000006
【図５】
2007210636.tif 000007
【図６】
2007210636.tif 000008
【図７】
2007210636.tif 000009
【図８】
2007210636.tif 000010
【図９】
2007210636.tif 000011
【図１０】
2007210636.tif 000012